(57)【要約】【課題】  臨場感にあふれた効果音を再生できるよう構成された弾球遊技機の音響装置を提供する。【解決手段】  パチンコ機ＰＭが、前枠２の前面に前枠２に対して開閉可能に取り付けられたガラス扉５と、前枠２の上部左右に固設され遊技の展開状況に応じて効果音を発生させるスピーカ６１とを有し、ガラス扉５が前枠２に閉鎖された状態でスピーカ６１の前方とガラス扉５の前面に形成された出口開口５ａとを連通させ、スピーカ６１前部からの音声を前方に放音するダクト６４がガラス扉５の背面から前枠２の側に突出するように設けられ、さらに、ガラス扉５が前枠２に閉鎖された状態でダクト６４の後端部と前枠２との間に生じる隙間を塞ぐゴム６５が設けられている。また、左右一対のダクト６４，６４が、互いに左右対称の形状に形成され、パチンコ機ＰＭを左右に分ける中心線Ｌに対して略左右対称位置に配設されている。【選択図】  図７
2006192017.tif 000002
【特許請求の範囲】
【請求項１】
固定保持用の外枠に前記外枠の開放空間を覆って装着され、入賞装置を備えた遊技盤を着脱可能な前枠と、前記前枠の前面に前記前枠に対して開閉可能に取り付けられた開閉扉と、前記前枠の上部左右に固設され遊技の展開状況に応じて効果音を発生させるスピーカとを有した弾球遊技機の音響装置において、
前記開閉扉が前記前枠に閉鎖された状態で前記スピーカの前方と前記開閉扉の前面に形成された音放出用開口とを連通させ、前記スピーカ前部からの音声を前方に放音する放音部が前記開閉扉の背面から前記前枠の側に突出するように設けられ、
前記開閉扉が前記前枠に閉鎖された状態で前記放音部の後端部と前記前枠との間に生じる隙間を塞ぐシール部材が設けられていることを特徴とする弾球遊技機の音響装置。
【請求項２】
左右一対の前記放音部が、互いに左右対称の形状に形成され、前記弾球遊技機を左右に分ける中心線に対して略左右対称位置に配設されていることを特徴とする請求項１に記載の弾球遊技機の音響装置。
【発明の詳細な説明】
【技術分野】
【０００１】
本発明は、入賞装置を備えた遊技盤を着脱可能な前枠と、前記前枠の上部左右に固設され遊技の展開状況に応じて効果音を発生させるスピーカとを有した弾球遊技機の音響装置に関する。
【背景技術】
【０００２】
上記のような弾球遊技機として、例えばパチンコ機や雀球遊技機、アレンジボール機などが広く知られている。この種の遊技機の代表例とされるパチンコ機では、ベニヤとも称される化粧板の前面に、多数本の遊技釘とともに風車、固定入賞具、図柄表示装置、種々の可動入賞装置や可動装飾装置などの遊技部品が取り付けられた遊技盤が用いられ、この遊技盤が開閉搭載枠たる前枠に取り付けられ、その後方に裏セット盤と称される球処理機構盤および制御装置が取り付けられて一体のパチンコ機が形成される。パチンコ機では、機体のベースとなる前枠や裏セット盤が一定期間一定の仕様で設定される一方、製造工場における生産機種の変更や、遊技施設におけるいわゆる盤面換え等を容易に行い得るように、前枠に遊技盤を着脱可能に収容する収容枠が形成され、この収容枠に機種ごとに異なるゲージ設定で形成された遊技盤を収容して係止保持させることで、生産機種の変更や盤面換えを容易に行えるように構成されている。
【０００３】
また、パチンコ機は、遊技の展開状況や不具合の発生状況に応じて様々な音色の音楽や音声等の効果音を発生させるスピーカを備えている。パチンコ機に装備されたスピーカは、特許文献１，特許文献２に記載されているような上球皿やその背後に位置する遊技補助盤と称される盤体の所要位置に取り付けられたタイプのものや、収容枠の上部の左右に形成された左右一対のスピーカマウント部の各々に上部スピーカを取り付けて、収容枠に形成されたスピーカ収容部内にスピーカを収容保持するタイプがある。
【特許文献１】特開平４−２０８１８１号公報
【特許文献２】特開平６−２３０９８号公報
【発明の開示】
【発明が解決しようとする課題】
【０００４】
ところで、パチンコ機などの遊技機にスピーカを装備するにあたっては、臨場感にあふれた効果音をスピーカにより再生してゲーム展開を盛り上げるために、例えば、収容枠に形成されたスピーカ収容部内に収容された上部スピーカに場合においては、当該スピーカ収容部自体の構造やスピーカ前部からの音声を遊技機の外部に放音させる放音部の構造を改善して、遊技機内における限られたスペースで充分な音響効果を奏するような音場空間を形成することが求められている。
【０００５】
本発明は上記課題に鑑みてなされたものであり、臨場感にあふれた効果音を再生できるスピーカを取付可能な弾球遊技機の音響装置を提供することを目的とする。
【課題を解決するための手段】
【０００６】
前記課題を解決するために、本発明に係る音響装置は、固定保持用の外枠に外枠の開放空間を覆って装着され、入賞装置を備えた遊技盤を着脱可能な前枠と、前枠の前面に前枠に対して開閉可能に取り付けられた開閉扉（例えば、実施形態におけるガラス扉５）と、前枠の上部左右に固設され遊技の展開状況に応じて効果音を発生させるスピーカとを有した弾球遊技機の音響装置において、開閉扉が前枠に閉鎖された状態でスピーカの前方と開閉扉の前面に形成された音放出用開口（例えば実施形態における出口開口５ａ）とを連通させ、スピーカ前部からの音声を前方に放音する放音部（例えば実施形態におけるダクト６４）が開閉扉の背面から前枠の側に突出するように設けられ、開閉扉が前枠に閉鎖された状態で放音部の後端部と前枠との間に生じる隙間を塞ぐシール部材（例えば実施形態におけるゴム４５）が設けられている。
【０００７】
なお、上記構成の弾球遊技機の音響装置において、左右一対の放音部が、互いに左右対称の形状に形成され、弾球遊技機を左右に分ける中心線に対して略左右対称位置に配設されているのが好ましい。
【発明の効果】
【０００８】
本発明に関する弾球遊技機の音響装置によれば、開閉扉が前枠に閉鎖された状態でスピーカ前部からの音声を前方に放音する放音部の後端部と前枠との間に生じる隙間を塞ぐシール部材が設けられているため、スピーカ前部からの音声は閉鎖された開閉扉の内部に漏れないようになっている。このため、スピーカ前部からの音声をこの放音部を介して減衰させずに遊技機の前方に向けて放音させることが可能であり、音声が外部に放出される途中で篭るようなことはなく音質が悪化するのが防止され、充分な音響効果を発揮するような音響構造となっている。
【０００９】
また、左右一対の放音部が、互いに左右対称の形状に形成され、弾球遊技機を左右に分ける中心線に対して略左右対称位置に配設されているため、当該左右の放音部からは、左右の音がバランス良く放音され、遊技を行う遊技者にとって快い効果音を提供することが可能であり、臨場感にあふれた効果音を遊技者の聴覚に対して訴えることが可能となっている。
【発明を実施するための最良の形態】
【００１０】
以下、本発明を実施するための形態について添付図面を参照しながら説明する。本発明に係る音響装置を備えた弾球遊技機の一例として、図１〜図３の各図に遊技盤後方脱着形態のパチンコ機を例示しており、まずこれらの図面を参照してパチンコ機ＰＭの全体構成について要約説明する。ここで、図１はパチンコ機ＰＭを斜め前方から見た斜視図、図２は前面のガラス扉および上球皿を横開き開放した状態の斜視図、図３はパチンコ機ＰＭを斜め後方から見た斜視図である。
【００１１】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉および着脱が可能に取り付けられ、正面右側に設けられた施錠装置４を利用して常には外枠１と係合連結された閉止状態に保持される。
【００１２】
前枠２の前面側では、前側面域に合わせた方形状のガラス扉５および上球皿６が横開き開閉および着脱可能に組付けられるとともに、上球皿６の下側に下球皿７、発射ハンドル８が組付けられ、前枠２の下部後面側に遊技球発射装置９の駆動機構部が装備されている。前枠２の上部には後に詳述する収容枠２０が前枠２と一体に形成されており、この収容枠２０に所定のゲージ設定で構成された遊技盤３０が前枠後方から着脱可能に収容され、周囲に設けられた係止保持構造を利用して係止保持されて、常には閉鎖保持されるガラス扉５に遊技盤正面の遊技領域ＰＡを臨ませている。収容枠２０の下側には遊技補助盤と称される補助機構部１０が設けられ、その前面側に遊技球発射装置９の発射機構部や下部スピーカなどが設けられている。
【００１３】
遊技盤３０は、例えば板厚１９mm程度の積層合板の表面にセルを貼り付けてルーター加工した化粧板３１を基板とし、化粧板側３１の前面に取り付けられた内レール部材３７および前枠２に形成された内外のレール部２１ａ，２１ｂにより、遊技盤３０の収容状態において略円形の遊技領域ＰＡが形成される。遊技領域ＰＡには、何れも詳細図示省略するが、多数本の遊技釘が化粧板３１の前面に突設されるとともに、遊技球が落入可能な固定入賞装置、電動チューリップ型やアタッカー型の可動入賞装置、遊技の展開状況に応じた図柄を表示する図柄表示装置を備えた中央飾りなどが取り付けられ、遊技領域ＰＡの下端部には化粧板３１を前後に貫通するアウト口３８が開口形成されている。
【００１４】
前枠２の裏面側には裏機構盤が設けられている。この裏機構盤は、化粧板３１の上端面より上方の高さ範囲に設けられた逆Ｌ字状の上部裏機構盤４１と、化粧板３１の下端面よりも下側の高さ範囲に設けられた横長の下部裏機構盤４２とからなり、それぞれ前枠２の背面右側に設けられたヒンジ機構を利用して各々独立して横開き開閉および着脱が可能に取り付けられ、常には、図３に示すようにそれぞれ化粧板３１および遊技補助盤１０の背後を覆うように閉止保持される。
【００１５】
上部裏機構盤４１には球貯留タンク４１ａや球払出装置４１ｂなどの主として賞球の払出機構および球抜き機構が設けられ、下部裏機構盤４２の前面側には遊技盤３０から排出されたセーフ球やアウト球等の遊技済み球を遊技施設の回収装置に導く遊技済み球排出通路４２ｂ（図４を参照）、後面側にパチンコ機ＰＭの作動を制御する主制御装置４３や遊技球の払い出し作動を制御する球払出制御装置４４、各制御装置や電子部品に電力を供給する電源ユニット４５などの各種制御装置が取り付けられ、これらがコネクタケーブルで接続されてパチンコ機ＰＭが作動可能に構成される。
【００１６】
パチンコ機ＰＭは、上球皿６およびガラス扉５が閉止施錠された状態で遊技に供され、上球皿６の球受け皿に遊技球を貯留させて発射ハンドル８を操作することで遊技が開始される。発射ハンドル８において発射操作が行われると、上球皿６に貯留された遊技球が１球ずつ遊技球発射装置９に送り出され、遊技球発射装置のハンマーにより遊技領域ＰＡに打ち出されてパチンコゲームが展開される。
【００１７】
ここで、前枠２の裏側に前枠２と一体に形成され、所定のゲージ設定で構成された遊技盤３０が前枠２の後方から着脱可能に収容される収容枠２０について図４および図５を参照して説明する。図４は前枠２を外枠１の前方に開放し上下の裏機構盤４１，４２を前枠２の後方に開放した状態の斜視図、図５は遊技盤を取り外した状態で収容枠を主として示す前枠後方からの斜視図である。
【００１８】
収容枠２０は、化粧板３１の前面を支持する前方支持面２２が形成された前方支持部２１、化粧板３１の周囲を囲むように前方支持部２１から後方に突出して設けられた枠部２３、および前方支持部２１から後方に突出して設けられ化粧板３１を前後に貫通して形成された突起受容孔３５と係合して遊技盤を位置決めする位置決め突起２５などを有し、前枠２に一体に形成されている。
【００１９】
前方支持部２１の中央には、前後連通して略円形に開口する窓口開口２１ｗが形成されている。窓口開口２１ｗは、前方支持部２１から一定高さで後方に突出する円筒状に形成されており、この円筒内面に、遊技球発射装置９から発射された遊技球を受けて遊技領域ＰＡに導く外レール部２１ａ、および外レール部の終端に設けられた返しゴム（不図示）から下方に延びる内レール部２１ｂが形成されている。窓口開口２１ｗの後端部は平坦に成型されて略円環状の前方支持面２２が形成され、収容枠２０に収容保持された化粧板３１の前面を当接支持して遊技盤３０を前後方向に位置決めする基準面になっている。
【００２０】
窓口開口２１ｗの外側に位置して、前方支持部２１から後方に突出して外殻方形の枠部２３が形成されている。枠部２３は、上方枠壁２３Ｕ、下方枠壁２３Ｄ、左方枠壁２３Ｌ、右方枠壁２３Ｒからなり、上下の枠壁２３Ｕ，２３Ｄおよび左右の枠壁２３Ｌ，２３Ｒの各内面間隔が、化粧板３１の上下左右の外形寸法よりも幾分大きめに設定されている。各枠壁の前後方向の突出高さは、前方支持面２２から枠壁後端までの高さが化粧板３１の板厚と略同一になるように形成されており、遊技盤３０を収容枠２０に収容させたときに化粧板３１が枠部２３内に収容され、上下左右の枠壁が化粧板３１の周囲を覆って配設されるようになっている。上下の枠壁２３Ｕ，２３Ｄの下面には所定間隔をおいて補強用のリブ２３ｂが形成されている。
【００２１】
以上のように構成される収容枠２０上部の左右には、遊技の展開状況や不具合の発生状況に応じて様々な音色の音楽や音声等の効果音を発生させるスピーカを有した音響装置（以下、パチンコ機ＰＭの正面視左側の音響装置を音響装置６０、正面視右側の音響装置を音響装置６０´とする）が設けられている。以下、図６および図７を加えて参照しながら音響装置６０，６０´について説明する。ここで、図６は収容枠に対するスピーカの取付状況を説明するための部分背面図で、図７は収容枠に対するスピーカの取付状況を説明するための部分側断面図である。なお、図７においては、パチンコ機ＰＭの上部左右に一対配設される音響装置のうち、左側の音響装置６０を例にその構造を説明する。
【００２２】
収容枠２０上部の左右２箇所には、スピーカ収容部２４が枠部２３の上方枠壁２３Ｕと一体に前方支持部２１の後方に突出し、このスピーカ収容部２４と前方支持部２１とにより囲まれた領域はスピーカ６１を収容可能なスピーカ収容室６３となっている。化粧板３１は、その外形形状がスピーカ収容部２４を含む枠部２３の形状に合わせて、その上部左右の隅部が切り欠かれた形状となっている。左右のスピーカ収容部２４は、互いに左右対称の形状に形成され、パチンコ機を左右に分ける中心線Ｌに対して略左右対称位置に位置して配設されている（図６参照）。
【００２３】
音響装置６０は、上記のようにスピーカ収容室６３を形成するスピーカ収容部２４やスピーカ６１のほか、スピーカ６１をマウントするスピーカベース６２、ガラス扉５と一体形成され、ガラス扉５が前枠２に閉鎖された状態でスピーカ６１の前方に前方音室６６を形成するダクト６４などから構成される。
【００２４】
スピーカ６１は、前枠２の一部をなすスピーカベース６２にスピーカベース６２の背面側から取り付けられるようになっている。スピーカベース６２には、スピーカ６１をスピーカ収容室６３内に収容した状態でスピーカベース６２に取り付けるためのスピーカ取付孔２８が形成されている。このスピーカ取付孔２８は、スピーカ６１前部の大きさに合わせてスピーカベース６２の前後に略円形に開口しており、スピーカ６１の前部をこのスピーカ取付孔２８に通した状態でスピーカベース６２の前面側におけるスピーカ取付孔２８の周縁において、スピーカ６１を取付支持できるようになっている。
【００２５】
スピーカ６１は、いわゆるコーン型のスピーカユニットであり、ユニットの骨組みをなすスピーカフレーム６１ａ、振動板たるコーン、コーンを駆動するための電力が供給されるヴォイスコイル、さらにはマグネット等から構成される。スピーカフレーム６１ａの前部にはコーンエッジの外周を取り巻くように平坦なフランジ部６１ｂが形成され、このフランジ部にスピーカ６１を固定するための固定孔が数箇所形成されている。上記のようにスピーカ６１は、スピーカ取付孔２８の周縁にフランジ部６１ｂを支持させ、背後から固定ネジ２９を螺合締結させることでスピーカベース６２に取り付けられ、スピーカ取付孔２８を通してコーン前面を前枠２の正面側に臨ませる。スピーカベース６２に取り付けられたスピーカ６１の後部は、スピーカ収容室６３内に収められた状態になっている。
【００２６】
ガラス扉５の前面上部の左右２箇所に略円形の出口開口５ａが形成されており、ガラス扉５の裏面には、略円筒状に後方に突出する左右一対のダクト６４，６４が形成されている。このダクト６４は互いに左右対称の形状に形成され、パチンコ機を左右に分ける中心線Ｌに対して略左右対称位置に配設されている（図２参照）。そして、ガラス扉５が前枠２に閉鎖された状態ではスピーカ６１の前方と上記出口開口５ａとが前枠２の側に突出するダクト６４を介して連通し、スピーカ６１前部からの音声は、このダクト６４を介しパチンコ機ＰＭの前方に放音されるようになっている。
【００２７】
このダクト６４は、その内径の大きさがスピーカフレーム６１ａ前部のフランジ部６１ｂの径の大きさよりもやや大きく、ガラス扉５を前枠２に閉鎖した状態では、ダクト６４の後端部がフランジ部６１ｂを取り巻くような位置に位置するように、スピーカ６１の取付位置に合わせて形成されている。このため、ガラス扉５を閉鎖するとスピーカ６１の前方にはダクト６４の内周側壁面に囲まれた前方音室６６が形成され、スピーカ６１の前部から前方に放出される正位相の音声は、この前方音室６６内を伝播して前方に導かれ、出口開口５ａを覆うようにガラス扉５に設けられたルーバ状の音響グリル６７からパチンコ機ＰＭ前方に発せられる。
【００２８】
また、ダクト６４の後端部の端面には、その全周に亘って断面矩形状であって正面視リング状のゴム６５が密着して取り付けられている。そして、このリング状のゴム６５は、ガラス扉５を前枠２に閉鎖する際に発生する衝撃を吸収する緩衝材としての役割を有するとともに、ガラス扉５を前枠２に閉鎖した状態においては、ダクト６４の後端部の端面とスピーカベース６２の前面とに挟まれるように密着して、ダクト６４の後端部の端面とスピーカベース６２の前面との隙間を閉塞する役割を有する。このため、スピーカ６１の前部から発せられ前方音室６６を伝播する音声が当該隙間から漏れるのが防止され、スピーカ６１の前部から発せられた音声は、出口開口５ａからパチンコ機ＰＭの外部に放音される。
【００２９】
なお、上記リング状のゴム６５はダクト６４の後端部の端面ではなく、スピーカベース６２の前面においてフランジ部６１ｂの周囲を取り巻くように取り付けたものであってもよい。このように構成した場合であっても、ガラス扉５を閉鎖した状態においては、ゴム６５がダクト６４の後端部の端面に当接して密着されることで、前方音室６６を通過する音声が外部に漏れることなく出口開口５ａからパチンコ機ＰＭの外部に放音されるようにすることが可能となっている。
【００３０】
一方、スピーカ６１の後部から後方に放出される逆位相の音声は、スピーカ収容部２４によって仕切られたスピーカ収容室６３内を介して前枠２の背面側に放音される。スピーカ収容部２４は、スピーカ６１の後部全周を囲むように形成されているため、スピーカ６１の後部から放出された逆位相の音は、スピーカ収容部２４が障壁となり前枠２の前面側に回り込むことなく、パチンコ機ＰＭの後方に向けて放音されることになる。このため、前方音室６６を伝播する正位相の音と上記逆位相の音とが干渉することはなく、逆位相の音によって正位相の音が減衰されることがないため、パチンコ機ＰＭ前方に放出された正位相の音が歪むことなくクリアな音質で再生されるようになっている。
【００３１】
以上、パチンコ機ＰＭの上部に配設された正面視左側の音響装置６０の構造について説明したが、上述したように、本発明に係る音響装置はパチンコ機ＰＭ上部に左右一対配設されており、その構造は左右対称となっている。すなわち、音響装置６０のスピーカ収容室６３の左右および前後の長さと、音響装置６０´のスピーカ収容室６３の左右および前後の長さとが略同一になるように、各々のスピーカ収容部２４が形成されている。また、音響装置６０におけるダクト６４の内径と、音響装置６０´におけるダクト６４の内径とが略同一になるようにガラス扉５が構成されている。
【００３２】
このため、音響装置６０および音響装置６０´におけるスピーカ収容室６３の容積は略同一となり、音響装置６０および音響装置６０´から各々パチンコ機ＰＭの後方に放出される逆位相の音は、左右でバランスが取れた均質なものになる。また、音響装置６０および音響装置６０´における前方音室６６の容積も同様に略同一となり、音響装置６０および音響装置６０´から各々パチンコ機ＰＭの前方に放出される正位相の音も、左右でバランスが取れた均質なものになり、臨場感にあふれた効果音を放音させることができるようになっている。このように、左右の音響装置６０，６０´の構造を左右対称とすることで、遊技機内における限られたスペースで充分な音響効果を奏するような音場空間を形成することが可能となっている。
【００３３】
ここで、本発明において達成される効果をまとめると下記のようになっている。すなわち、本発明に関する弾球遊技機の音響装置においては、開閉扉が前枠に閉鎖された状態でスピーカ前部からの音声を前方に放音する放音部の後端部と前枠との間に生じる隙間を塞ぐシール部材が設けられているため、スピーカ前部からの音声は閉鎖された開閉扉内部に漏れないようになっている。このため、スピーカ前部からの音声をこの放音部を介して減衰させずに遊技機の前方に向けて放音させることが可能であり、音声が外部に放出される途中で篭るようなことはなく音質が悪化するのが防止され、充分な音響効果を発揮するような音響構造となっている。
【００３４】
また、左右一対の放音部が、互いに左右対称の形状に形成され、弾球遊技機を左右に分ける中心線に対して略左右対称位置に配設されているため、当該左右の放音部からは、左右の音がバランス良く放音され、遊技を行う遊技者にとって快い効果音を提供することが可能であり、臨場感にあふれた効果音を遊技者の聴覚に訴えることが可能となっている。
【図面の簡単な説明】
【００３５】
【図１】本発明に係る音響装置を適用した弾球遊技機の一例として示す、パチンコ機を斜め前方から見た斜視図である。
【図２】前面のガラス扉および球皿ユニットを横開き開放した状態の上記パチンコ機の斜視図である。
【図３】上記パチンコ機を斜め後方から見た斜視図である。
【図４】前枠を外枠の前方に開放し上下の裏機構盤を前枠の後方に開放した状態の斜視図である。
【図５】遊技盤を取り外した状態で収容枠を主として示す前枠後方からの斜視図である。
【図６】収容枠に対するスピーカの取付状況を説明するための部分背面図である。
【図７】収容枠に対するスピーカの取付状況を説明するための部分側断面図である。
【符号の説明】
【００３６】
ＰＡ  遊技領域
ＰＭ  パチンコ機（弾球遊技機）
１  外枠
２  前枠
５  ガラス扉（開閉扉）
５ａ  出口開口（音放出用開口）
２０  収容枠
２１  前方支持部（２１ａ  外レール部、２１ｂ  内レール部）
２２  前方支持面
２３  枠部
２４  スピーカ収容部
３０  遊技盤
３１  化粧板
６０  音響装置
６１  スピーカ
６２  スピーカベース
６３  スピーカ収容室
６４  ダクト（放音部）
６５  ゴム（シール部材）
６６  前方音室
【図１】
2006192017.tif 000003
【図２】
2006192017.tif 000004
【図３】
2006192017.tif 000005
【図４】
2006192017.tif 000006
【図５】
2006192017.tif 000007
【図６】
2006192017.tif 000008
【図７】
2006192017.tif 000009